(57)【要約】【課題】電波時計の電波受信状態を確認することができ、しかもそのための専用の表示部が不要であるトイレ電装品の操作装置を提供する。【解決手段】リモコン２０の液晶画面３０内には、リモコン２０の各種スイッチの操作時にリモコン２０から信号が発信したことを点滅によって表示する発信表示部３１と、時刻表示部３５とが表示されている。液晶画面３０内には、その他に、洗浄強さ表示部３２、電池表示部３６等が表示されている。リモコン２０前面のストップスイッチ２４とドライスイッチ２３とを同時に操作すると、６０秒間だけ電波の受信状態表示モードに切り替えられ、発信表示部３１が受信電波の強さを表示する。【選択図】  図１
2004324344.tif 000002
【特許請求の範囲】
【請求項１】
トイレ電装品を操作するための操作装置であって、
表示画面を有し、
該表示画面には、時刻表示部と、該トイレ電装品の状態表示部とが設けられているトイレ電装品の操作装置において、
該時刻表示部は、電波時計による時刻を表示するものであり、
該状態表示部の表示を電波時計の電波受信状態の表示に切り替える切替手段が設けられていることを特徴とするトイレ電装品の操作装置。
【請求項２】
請求項１において、該操作装置はリモコンであり、該状態表示部は、該リモコンの発信の表示と受信電波の強さの表示とが該切替手段によって切り替えられるものであることを特徴とするトイレ電装品の操作装置。
【請求項３】
請求項１において、該操作装置はリモコンであり、該トイレ電装品は、温水洗浄装置であり、
該状態表示部は、該温水洗浄装置の洗浄強さと受信電波強さとを切り替えて表示するものであることを特徴とするトイレ電装品の操作装置。
【請求項４】
請求項１において、該操作装置は電池を電源とするリモコンであり、該状態表示部は、電池の残存容量と受信電波強さとを切り替えて表示するものであることを特徴とするトイレ電装品の操作装置。
【請求項５】
請求項２ないし４のいずれか１項において、該状態表示部は、電波時計の受信電波強さ表示時には、受信電波強さが強いほど表示面積を増大させることを特徴とするトイレ電装品の操作装置。
【発明の詳細な説明】
【０００１】
【発明の属する技術分野】
本発明は、トイレに設置される温水洗浄装置等の電装品を操作するための操作装置に係り、特に電波時計による時刻表示を行うようにした操作装置に関する。
【０００２】
【従来の技術】
温水洗浄装置は、周知の通り、便器使用者の臀部に向って温水を噴出させてその洗浄を行う装置である。特開２０００−３１９９７０号に見られるように、この温水洗浄装置の操作を行うためのリモコンの表示パネルに現在時刻及び洗浄強さを表示することが従来より行われている。
【０００３】
特開２００２−１２１８０２号には、リモコンの表示部に、電波時計による現在時刻を表示させることが記載されている。
【０００４】
【特許文献１】
特開２０００−３１９９７０号公報
【特許文献２】
特開２００２−１２１８０２号公報
【０００５】
【発明が解決しようとする課題】
上記特開２００２−１２１８０２号では、電波時計の電波受信状態が不明であるため、電波時計による時刻表示が正しいかどうか確認することができない。
【０００６】
本発明は、かかる問題点を解決し、電波時計の電波受信状態を確認することができ、しかもそのための専用の表示部が不要であるトイレ電装品の操作装置を提供することを目的とする。
【０００７】
【課題を解決するための手段】
本発明のトイレ電装品の操作装置は、トイレ電装品を操作するための操作装置であって、表示画面を有し、該表示画面には、時刻表示部と、該トイレ電装品の状態表示部とが設けられているトイレ電装品の操作装置において、該時刻表示部は、電波時計による時刻を表示するものであり、該状態表示部の表示を電波時計の電波受信状態の表示に切り替える切替手段が設けられていることを特徴とするものである。
【０００８】
かかる本発明のトイレ電装品の操作装置にあっては、トイレ電装品の状態表示部を利用して電波時計の電波受信状態を表示し、電波時計による現在時刻が正しいかどうか確認することができる。また、トイレ電装品の状態表示と電波受信状態の表示とを兼用させているので、表示画面がコンパクトな大きさのもので足りる。
【０００９】
本発明の一態様では、操作装置はリモコンであり、該状態表示部は、該リモコンの発信の表示と受信電波の強さの表示とが該切替手段によって切り替えられるものである。この場合、状態表示部は、受信電波強さ表示時には、受信電波強さが強いほど表示面積を増大させることが好ましい。このように表示領域を受信電波強さに応じた大きさとすることにより、受信電波強さがきわめて分り易いものとなる。
【００１０】
電波強さを表示する場合、表示領域は繰り返し拡大することが解り易くて好ましいが、これに限定されない。
【００１１】
本発明の別の一態様では、操作装置はリモコンであり、トイレ電装品は温水洗浄装置であり、該状態表示部は、該温水洗浄装置の洗浄強さと受信電波強さとを切り替えて表示するものである。
【００１２】
本発明のさらに別の一態様では、操作装置は電池を電源とするリモコンであり、該状態表示部は、電池の残存容量と受信電波強さとを切り替えて表示するものである。
【００１３】
これらの態様に係るトイレ電装品の操作装置においても、受信電波強さを容易に看取することができる。
【００１４】
【発明の実施の形態】
以下、図面を参照して実施の形態について説明する。図１は実施の形態に係るトイレ電装品の操作装置としてのリモコンを備えたトイレルーム内の斜視図、図２はリモコンの正面図、図３はリモコンの発信表示部の表示内容を説明する図である。
【００１５】
洋風便器１０の後部上面にロータンクカバー１１が設置され、このロータンクカバー１１の前面の凸部１１ａに、便座１２と便蓋１３が上下方向に回動可能に取り付けられている。
【００１６】
ロータンクカバー１１の前面下部には、温水洗浄装置のシャワー洗浄ノズル１４とビデ洗浄ノズル１５が設けられている。ロータンクカバー１１の前面上部には人体検知センサ１６が設けられている。このセンサ１６の人体検知結果に基づいて便蓋１３を自動的に開閉させる便蓋自動開閉装置が該ロータンクカバー１１内に設置されている。
【００１７】
トイレルームの壁面には、リモコン２０が取り付けられている。
【００１８】
図２の通り、このリモコン２０の前面の下部には、シャワーノズル１４から温水を噴出させるためのシャワー洗浄用操作スイッチ２１、ビデ洗浄ノズル１５から温水を噴出させるためのビデ洗浄用操作スイッチ２２、臀部乾燥用の温風を吹き出させるドライスイッチ２３、シャワー洗浄等の作動をストップさせるストップスイッチ２４、及びノズル１４，１５からの温水噴出強さを調節する洗浄強さ調節ツマミ２５が設置されている。また、このリモコン２０の前面の下部はカバーとなっており、該カバーの裏側には副操作部が隠蔽されている。この副操作部には、便座温度調節ツマミと温水温度調節ツマミが設けられている。
【００１９】
洗浄強さ調節ツマミ２５の上方には、ノズル１４，１５を前後往復動させて広範囲の洗浄を行わせるワイド洗浄スイッチ２６と、ノズル１４，１５の位置調節用の前進スイッチ２７及び後退スイッチ２８とが設置されている。
【００２０】
リモコン２０の前面上部には、トイレ電装品の状態表示部としての液晶画面３０が設置されている。この液晶画面３０内には、リモコン２０の各種スイッチの操作時にリモコン２０からの信号が発信したことを点滅によって表示する発信表示部３１と、温水噴出強さを表示する洗浄強さ表示部３２と、シャワー洗浄用操作スイッチ２１又はビデ洗浄用操作スイッチ２２の操作時に点灯する洗浄表示部３３と、ドライスイッチ２４の操作時に「乾燥」の文字と「低」、「中」、「高」のいずれかの文字とが点灯する乾燥表示部３４と、リモコン用電池の残存容量を点灯によって表示する電池表示部３６が表示されている。
【００２１】
また、この液晶画面３０内には、現在の時刻を表示する時刻表示部３５が表示されている。この時刻表示部３５は、電波時計による時刻を表示するものである。即ち、時刻情報を有する標準電波をリモコン２０内の受信装置（図示略）が受信し、この時刻情報に基づいて時刻が時刻表示部３５に表示される。
【００２２】
リモコン２０の上面には、便座１２を起倒させる便座開閉スイッチ４０と、洋風便器１０内のフラッシュ洗浄を行うための大用フラッシュスイッチ４１及び小用フラッシュスイッチ４２とが設置されている。
【００２３】
液晶画面３０は、通常はトイレ電装品（本実施の形態においては温水洗浄装置及び温風乾燥装置）の状態を表示するモードになっているが、切替操作によって電波時計の標準電波の受信状態を表示するモードに切り替えることが可能となっている。即ち、トイレ電装品の状態表示モードにおいて、ストップスイッチ２４とドライスイッチ２３とを同時に操作すると、所定時間例えば６０秒間だけ電波の受信状態表示モードに切り替えられ、該所定時間経過後に自動的にトイレ電装品の状態表示モードに復帰する。電波の受信状態表示モードにおいて、再度ストップスイッチ２４とドライスイッチ２３とを同時に操作した場合には、直ちにトイレ電装品の状態表示モードに復帰する。
【００２４】
この実施の形態にあっては、電波の受信状態表示モードにおいては、発信表示部３１が受信電波の強さを表示する。即ち、電波を全く受信できないときには図３（ａ）の通り発信表示部３１の中央にある円形部のみが点滅する。電波が受信されるが受信電波が弱いときには、図３（ｂ）の通り円形部とその両側にある１対の略半円弧部のみが点滅し、受信電波の強さが中程度のときには図３（ｃ）の通り円形部及びその両側の２対の略半円弧部が点滅し、受信電波の強さが強いときには図３（ｄ）の通り円形部及びその両側にある３対全ての略半円弧部が点滅する。なお、点滅の態様としては、発信表示部３１の表示領域（円形部及び３対の略半円弧部）のうち、最小領域（円形部）から最大領域（３対すべての略半円弧部）まで繰り返し拡大するように点滅するのが好ましいが、表示が全体として同期して点滅してもよい。この点滅表示によれば、受信電波強さを現にチェックして表示していることを認識できると共に、点滅部分に注意が集中するので、受信電波強さを看取し易い。
【００２５】
このように、本実施の形態に係るトイレ電装品の操作装置としてのリモコン２０にあっては、発信表示部３１を利用して電波時計の電波受信状態を表示し、電波時計による現在時刻が正しいかどうか確認することができる。また、該発信表示部３１が、トイレ電装品の状態表示と電波受信状態の表示とを兼用しており、且つ該発信表示部３１は、該リモコン２０の発信の表示と受信電波の強さの表示とが該切替手段によって切り替えられるものであるので、電波強さの専用の表示部分が不要であり、液晶画面３０がコンパクトな大きさのもので足りる。
【００２６】
上記実施の形態では、液晶画面３０内の発信表示部３１を電波受信状態の表示に使用したが、図４に示す通り、液晶画面３０内の洗浄強さ表示部３２を電波受信状態の表示に使用してもよい。この場合、受信電波強さが強くなるほど表示領域が拡大する。例えば、受信電波強さが強いときには、図４（ａ）に示す通り、６分割された洗浄強さ表示部３２の全ての領域が同時に、又は繰り返し拡大するように点滅し、受信電波強さが中程度のときは、図４（ｂ）に示す通り、左側の３つの領域が同時に、又は繰り返し拡大するように点滅する。
【００２７】
図５は、液晶画面３０内の電池表示部３６を電波受信状態の表示に使用したものである。この場合も、受信電波強さに応じて表示領域が拡大する。例えば、図５（ａ）は受信電波が強いことを示し、図５（ｂ）は受信電波が弱いことを示している。
【００２８】
上記実施の形態では、表示モードの切替操作として、ストップスイッチ２４とドライスイッチ２３を同時に操作することとしたが、２個のスイッチの組み合せはこれに限定されるものではなく、また３個以上のスイッチを同時押しすると表示モードが切り替えられるようにしてもよい。また、１個のスイッチ、例えばストップスイッチ２４を所定時間以上（例えば５秒間以上）押し続けることにより表示モードが切り替えられるようにしてもよい。
【００２９】
本発明では、例えば、リモコン２０の下面カバーに隠蔽された副操作部に別途表示切替スイッチを設置してもよいが、リモコン２０のコンパクト化のためには既存のスイッチを利用することが別途スイッチを設置する必要がないため好ましい。
【００３０】
本発明では、洗浄表示部３３及び／又は乾燥表示部３４を利用して電波時計の電波受信状態を表示してもよい。例えば、電波を全く受信できないときには表示部３３又は３４が消灯し、受信電波の強さが弱いときには表示部３３又は３４が点滅し、受信電波の強さが強いときには表示部３３又は３４が点灯するようにしてもよい。また、例えば、電波を全く受信できないときには乾燥表示部３４のみが点灯し、受信電波の強さが弱いときには乾燥表示部３４が点灯すると共に洗浄表示部３３が点滅し、受信電波の強さが強いときには乾燥表示部３４及び洗浄表示部３３が共に点灯するようにしてもよい。
【００３１】
本発明では、液晶画面に図２に示す表示部以外の表示部を設け、該表示部を利用して電波時計の電波受信状態を表示してもよい。例えば、トイレ室内が暗いときに人体検知センサが人体を検知すると、便蓋前縁のＬＥＤが点灯して足元を照らすと共に、液晶画面中の「ほのかライト表示部」が点灯するようにしてもよい。また、例えば、リモコンの音楽再生スイッチを操作すると、音楽が流れると共に液晶画面中の「やすらぎサウンド表示部」が点灯するようにしてもよい。この場合、ほのかライト表示部及び／又はやすらぎサウンド表示部は、電波時計の電波受信状態において、上記洗浄表示部３３及び／又は乾燥表示部３４と同様に機能する。
【００３２】
【発明の効果】
以上の通り、本発明によると、電波時計の電波受信状態を確認することができ、しかもそのための専用の表示部が不要であるトイレ電装品の操作装置が提供される。
【図面の簡単な説明】
【図１】実施の形態に係るトイレ電装品の操作装置としてのリモコンを備えたトイレルーム内の斜視図である。
【図２】リモコンの正面図である。
【図３】リモコンの発信表示部の表示内容を説明する図である。
【図４】別の実施の形態に係るリモコンの洗浄強さ表示部の表示内容を説明する図である。
【図５】さらに別の実施の形態に係るリモコンの電池表示部の表示内容を説明する図である。
【符号の説明】
２０  リモコン
２１  シャワー洗浄用操作スイッチ
２２  ビデ洗浄用操作スイッチ
２３  ドライスイッチ
２４  ストップスイッチ
２５  洗浄強さ調節ツマミ
３０  液晶画面
３１  発信表示部
３２  洗浄強さ表示部
３５  時刻表示部
３６  電池表示部
【図１】
2004324344.tif 000003
【図２】
2004324344.tif 000004
【図３】
2004324344.tif 000005
【図４】
2004324344.tif 000006
【図５】
2004324344.tif 000007